(57)【要約】【課題】  摺動体を用いてダイのダイブロックに対する着脱が迅速容易に行えると共に、ダイブロックへのダイの保持を安定よく、確実強固に行えるようにする。【解決手段】  ダイ嵌入孔２１の前面両側にダイ１をダイ嵌入孔２１に案内可能に支持するガイド杆２０を突設する。ダイ嵌入孔２１の下部にダイ１を出し入れする方向に延びる摺動孔２２を設けて、摺動孔２２に、把手部６２とダイ１の前端下部に係合する係合支持部６３とを備えた摺動体６を摺動可能に設けた。【選択図】  図１
2006255779.tif 000002
【特許請求の範囲】
【請求項１】
ダイブロックのダイ嵌入孔に前端口より抜き差し可能にダイを嵌入してロック手段で固定するようにしたダイの脱着装置であって、ダイ嵌入孔の前面両側にダイをダイ嵌入孔に案内可能に支持する複数のガイド杆を突設すると共に、ダイ嵌入孔の下部にダイを出し入れする方向に延びる摺動孔を設けて、この摺動孔に、前端部に把手部とダイの前端下部に係合する係合支持部とを備えた摺動体を摺動可能に設けていることを特徴とするダイの着脱装置。
【請求項２】
摺動体における係合支持部に、上部にダイの受面を有する調節支持体を上下に位置調節可能に設けていることを特徴とする請求項１に記載のダイの着脱装置。
【請求項３】
ロック手段として、ダイの後端側上部にダイの出し入れ方向と直交する方向に延びるロック溝を形成すると共に、ダイブロックの上部にダイの出し入れ方向と同方向の軸を中心に揺動してロック溝に係合離脱可能な揺動ロック体を設け、かつ、揺動ロック体に、該揺動ロック体のロック溝への係止時揺動ロック体とダイブロックとを緊締してそのロック状態を保持する緊締ボルトを備えていることを特徴とする請求項１に記載のダイの着脱装置。
【発明の詳細な説明】
【技術分野】
【０００１】  本発明は、ダイの着脱装置、詳しくは、ダイブロックのダイ嵌入孔にその前端口より抜き差し可能にダイを嵌入してロック手段で固定するようにしたダイの脱着装置に関する。
【背景技術】
【０００２】  従来、この種のダイの着脱装置にあっては、ダイをダイブロックのダイ嵌入孔に着脱する際、ダイの頭部を掴むキャッチャーが用いられ、このキャッチャーによりダイを掴んだ状態でダイの挿入端をダイブロックのダイ嵌入孔に位置合わせし、そのまま押し込み又は引き出すように構成されている。また、ロック手段としては、ダイブロックの前端上部にテーパー状凹部を形成すると共に、ダイブロックの前端上部にロックボルトを設けて、該ロックボルトの上記凹部への締め付けによりダイブロックにダイをロックするようになされている。【０００３】
【特許文献】  特公昭５６−１０２３３７号  公報
【発明の開示】
【発明が解決しようとする課題】
【０００４】  ところが、上記したダイの着脱装置によれば、ダイブロックの前端面から突出したダイの頭部をキャッチャーで掴み、その状態でダイの軸心とダイ嵌合孔の軸心を一致させながらダイの前方へ引き出し、その後ダイを適宜位置に持ち上げ移動させたり、或いは、ダイの頭部をキャッチャーで掴んでダイ挿入端をダイ嵌入孔に芯合わせして、ダイの軸心とダイ嵌合孔の軸心を一致させながら押し込む必要があった。したがって、その引き出し、或いは押し込み作業が非常に面倒で手間を要する問題を有していた。
また、ロックボルトの上記テーパー状凹部への締め付けによるダイブロックとダイとのロック手段によれば、点接触による締め付けとなって締め付け時の安定性が悪く、また、長期の使用によりガタ付きが発生し易い問題があった。【０００５】  そこで本発明は、ダイをダイ嵌合孔に出し入れする摺動体を用いてダイのダイブロックに対する着脱を迅速容易にかつ安全に行い、しかも、ダイブロックへのダイの保持を安定よく、かつ確実強固に行えるダイの着脱装置の提供を課題とする。
【課題を解決するための手段】
【０００６】  上記課題を解決するため、本願の請求項１に記載の発明は、ダイブロックのダイ嵌入孔に前端口より抜き差し可能にダイを嵌入してロック手段で固定するようにしたダイの脱着装置であって、ダイ嵌入孔の前面両側にダイをダイ嵌入孔に案内可能に支持する複数のガイド杆を突設すると共に、ダイ嵌入孔の下部にダイを出し入れする方向に延びる摺動孔を設けて、この摺動孔に、前端部に把手部とダイの前端下部に係合する係合支持部とを備えた摺動体を摺動可能に設けたことを特徴とする。【０００７】  また、本願の請求項２に記載の発明は、上記した請求項１の構成に加えて、摺動体における係合支持部に、上部にダイの受面を有する調節支持体を上下に位置調節可能に設けたことを特徴とする。【０００８】  さらに、本願の請求項３に記載の発明は、上記した請求項１の構成に加えて、ダイのダイブロックへのロック手段として、ダイの後端側上部にダイの出し入れ方向と直交する方向に延びるロック溝を形成すると共に、ダイブロックの上部にダイの出し入れ方向と同方向の軸を中心に揺動してロック溝に係合離脱可能な揺動ロック体を設け、かつ、揺動ロック体に、該揺動ロック体のロック溝への係止時揺動ロック体とダイブロックとを緊締してそのロック状態を保持する緊締ボルトを備えていることを特徴とする。
【発明の効果】
【０００９】  上記した構成によれば、ダイの前端下部を係合支持部に係合させながらガイド杆と係合支持部に載置し、そのうえで摺動体をその把手をして進退移動することにより簡単確実にダイをダイブロックのダイ嵌合孔から引き出したり、又はダイの定位置へ挿入セットすることができ、これにより、ダイのダイブロックからの引き出し及び押し込みが迅速容易にかつ安全に行うことができる。【００１０】  また、摺動体における係合支持部に、上部にダイの受面を有する調節支持体を上下に位置調節可能に設けるようにすれば、ダイ外径の工作精度にバラツキがあってダイがダイ嵌入孔に入りにくいとき、係合突起体の係合支持部に対する上下高さを調整することにより、上記工作精度に多少のバラツキがあってもダイを挿入することが可能となるので好ましい。【００１１】  さらに、ロック手段として、ダイの後端側上部にダイの出し入れ方向と直交する方向に延びるロック溝を形成すると共に、ダイブロックの上部にダイの出し入れ方向と同方向の軸を中心に揺動してロック溝に係合離脱可能な揺動ロック体を設け、かつ、揺動ロック体に、該揺動ロック体のロック溝への係止時揺動ロック体とダイブロックとを緊締してそのロック状態を保持する緊締ボルトを備えるようにすれば、ロック時の安定性がよく、また、長期間使用によるガタ付きを確実に防止できる。
【発明を実施するための最良の形態】
【００１２】  以下、本発明の実施の形態を図に基づいて説明する。
図１〜図２は本発明に係るダイの着脱装置を示すもので、図１において、１は軸心部に成形孔付き貫通軸孔１１を有する円筒状のダイであり、ダイ１の前端下部には係合凹部１２が形成され、後端上部にはダイの出し入れ方向と直交する方向に延びるロック溝１３が形成されている。２はダイ１のダイ嵌入孔２１を備えたダイブロックであり、ダイブロック２は本体フレーム３の前端側に固定されている。ダイ嵌入孔２１の奥部には荷受部材４が設けられると共に、その軸心軸孔４１内にはノックアウトピン５が貫通するように設けられている。ノックアウトピン５はダイ１の貫通軸孔１１内に摺動自在にセットされる。【００１３】  そして、ダイ嵌入孔２１の前面両側にダイ１をダイ嵌入孔２１に案内可能に支持する一対のガイド杆２０，２０が突設される一方、ダイ嵌入孔２１の下部にダイ１を出し入れする方向に延びる摺動孔２２が設けられると共に、摺動孔２２にダイ１を出し入れする摺動体６が摺動可能に設けられている。摺動体６は、摺動孔２２に摺動可能に挿嵌される一対の摺動杆６１，６１とこれら摺動杆６１，６１の前端部に固定される把手部６２とダイ１の前端下部に係合する係合突起６３ａをもつ係合支持部６３とを備えている。把手部６２を持って手動操作することにより摺動体６と共にダイ１をダイブロック２に対し出し入れできるようになっている。【００１４】  また、ダイ１をダイブロック２に嵌合した状態でのロック手段として、ダイ１の後端側上部にダイ１の出し入れ方向と直交する方向に延びるロック溝１３が形成されていると共に、ダイブロック２の上部にダイ１の出し入れ方向と同方向の軸８を中心に揺動してロック溝１３に係合離脱可能なロック部７１をもつ逆Ｌ状の揺動ロック体７が設けられ、揺動ロック体７を下方に揺動させ、そのロック部７１をロック溝１３に係合させることにより、ダイ１とダイブロック２とのロックを行うようになされている。その場合、軸８はダイブロック２の上部に設けられたコ字状の受体２３を介して支持され、また、ダイブロック２には揺動該ロック体７におけるロック部７１のダイ嵌合孔２１側への挿入を許す挿入孔２４が形成されている。さらに、揺動ロック体７には、該ロック体７のロック部７１のロック溝１３への係止時、揺動ロック体７とダイブロック２とを緊締してそのロック状態を保持する緊締ボルト９が設けられている。【００１５】  なお、図中、符号２５は摺動孔２２内に介装されたベアリングであり、２６は摺動杆６１の後端部に設けられたストッパーで、摺動体６のダイブロック２からの引出時、摺動体６の摺動孔２２からの抜落ちを防止するためのものである。【００１６】  次に、以上のように構成するダイの着脱装置の作用について説明する。
まず、新たなダイ１をダイブロック２のダイ嵌入孔２１内へセットするときは、図１及び図２に示す状態からノックアウトピン５を後退移動させてその先端を荷受部材４の軸心軸孔４１内に退避させると共に、緊締ボルト９を緩めて揺動ロック体７とダイブロック２との締結を解除する。次に、揺動ロック体７を図３及び図４に示すように緊締ボルト９を上方の退避位置に揺動させ、揺動ロック体７のロック部７１をダイブロック２の挿入孔２４から離脱させる。そのうえで、把手部６２を持って摺動体６を前方に引き出す。その後、その引き出し状態のもとで、ガイド杆２０，２０と摺動体６の係合支持部６３上に新たなダイ１を下ろして載置する。このとき、係合支持部６３の係合突起６３ａとダイ１側の係合凹部１２とを嵌合係止させる。然る後、把手部６２を持って摺動体６をダイブロック２内に押し込むことにより、ダイ１をダイ嵌入孔２１内の定位置に押し込むことになる。その後、図１に示すように揺動ロック体７を下方に揺動させ、そのロック部７１をロック溝１３に係合させて、ダイ１とダイブロック２とのロックを行う。そして、緊締ボルト９により、揺動ロック体７とダイブロック２とを緊締してそのロック状態を保持しセットを完了する。【００１７】  一方、ダイブロック２のダイ嵌合孔２１にセットされた状態のダイ１を取り出すには次のようにする。まず、ノックアウトピン５を後退移動させてその先端を荷受部材４の軸心軸孔４１内に退避させると共に、緊締ボルト９を緊締解除操作して揺動ロック体７とダイブロック２との緊締を解除する。その後、揺動ロック体７を軸８を中心に回転させて、揺動ロック体７を図３に示すように緊締ボルト９が上方の退避位置に位置するように揺動させ、そのロック部７１をロック溝１３から離脱させる。次に、把手部６２を持って摺動体６をダイブロック２内から引き出すことにより、ガイド杆と、摺動体６の係合支持部との上にダイ１を安定よく支持した状態でダイブロックの前方に突出させることになる。ダイ１をダイ嵌入孔２１外の交換位置に位置させることになる。その後、たとえば１５ｋｇ以下のダイ１については簡易吊下具（図示せず）などを用いて持ち上げにより適宜収納場所に搬送したり、また、１５ｋｇ以上になると人手による持ち上げがたいへんなのでジブクレーン又はロボットなどを用いて機械的に適宜収納場所に搬送すればよい。【００１８】  以上のように、ダイ１の前端下部を摺動体６の係合支持部６３に係合させながらガイド杆２０，２０と摺動体６上に載置し、そのうえで摺動体６をその把手部６２をして進退移動させるだけのワンタッチ操作によりダイ１をダイブロック２のダイ嵌合孔２１から引き出したり、又はダイ１の定位置へ挿入セットすることができ、これにより、ダイ１のダイブロック２からの引き出し及び押し込みが迅速容易にかつ安全に行うことができる。しかも、ロック手段として、ダイ１の後端側上部にダイ１の出し入れ方向と直交する方向に延びるロック溝１３を形成すると共に、ダイブロック２の上部にダイ１の出し入れ方向と同方向の軸を中心に揺動してロック溝に係合離脱可能な揺動ロック体７を設け、かつ、揺動ロック体７に、該ロック体７のロック溝への係合時揺動ロック体７とダイブロ��ク２とを緊締してそのロック状態を保持する緊締ボルト９を備えているから、緊締ボルト９を締め付けて揺動ロック体７とダイブロック２とを緊締するだけの簡単な操作で、ロック状態を確実に保持することができ、ロック時の安定性がよく、また、長期間の使用によるガタ付きを防止できる。【００１９】  また、図５及び図６において詳細に示すように本実施の形態では、摺動体６における係合支持部６３の前面に、上下方向の摺動溝６３ｂが設けられ、該摺動溝６３ｂに上部にダイ１の円弧状受面を有する調節支持体６３ｃが上下に位置調節可能に設けられている。その場合、位置調節手段としては、調節支持体６３ｃの中間部に形成された上下方向に延びる長孔６３ｄと調節支持体６３ｃを係合支持部６３に固定する固定ボルト６３ｅとにより構成されている。このように係合支持部６３に上下調節可能な調節支持体６３ｃを設けるようにすれば、たとえばダイ外径の工作精度にバラツキがあり、ダイ１が傾きこじれてダイ嵌入孔２１に入りにくいとき、例えば図５及び図６の仮想線で示すように係合支持部６３に対する調節支持体の上下高さを任意に調節することにより、多少のバラツキがあってもダイ１をダイ嵌合孔２１に挿入することが可能となるので好ましい。
【図面の簡単な説明】
【００２０】
【図１】  本発明に係るダイの脱着装置のダイ装着状態を示す一部省略縦断側面図である。
【図２】  図１の一部切り欠き正面図である。
【図３】  脱着装置のダイ脱着動作を示す説明図である。
【図４】  図３の一部切り欠き正面図である。
【図５】  摺動体の拡大正面図である。
【図６】  図５のＡ−Ａ線断面図である。
【符号の説明】
【００２１】    １          ダイ
１２        係合凹部
２          ダイブロック
２１        ダイ嵌合孔
２２        摺動溝
６          摺動体
６１        摺動杆
６２        把手部
６３        係合支持部
６３ｃ      調節支持体６３ｃ
７          揺動ロック体
８          軸
９          締結ボルト
【図１】
2006255779.tif 000003
【図２】
2006255779.tif 000004
【図３】
2006255779.tif 000005
【図４】
2006255779.tif 000006
【図５】
2006255779.tif 000007
【図６】
2006255779.tif 000008